(57)【要約】【課題】  より広い範囲を十分な照度で照らすことが可能なＬＥＤ照明装置を提供すること。【解決手段】  １以上のＬＥＤチップ２２０を有する発光部２００と、発光部２００を搭載した台座４００と、上端部および下端部を有し、上端部に台座４００を備えた基台５００と、基台５００に取り囲まれて配置された、発光部２００を発光させるための電力を供給する電源部６００と、を備えたＬＥＤ照明装置としてのＬＥＤ電球１０１であって、発光部２００は、台座４００により基台５００の上端部よりも上方に設けられ、電源部６００は、基台５００の上端部を上方に超えない位置に配置されている。【選択図】  図３
2015179682.tif 000002
【特許請求の範囲】
【請求項１】
１以上のＬＥＤチップを有する発光部と、
前記発光部を搭載した台座と、
上端部および下端部を有し、前記上端部に前記台座を備えた基台と、
前記基台に取り囲まれて配置された、前記発光部を発光させるための電力を供給する電源部と、を備えたＬＥＤ照明装置であって、
前記発光部は、前記台座により前記基台の前記上端部よりも上方に設けられ、
前記電源部は、前記基台の前記上端部を上方に超えない位置に配置されたことを特徴とする、ＬＥＤ照明装置。
【請求項２】
前記発光部と前記電源部とは、前記台座に設けられた貫通孔を介して互いに接続された配線により電気的に接続されている、請求項１に記載のＬＥＤ照明装置。
【請求項３】
前記発光部を覆って前記基台の上端部上に形成されて、前記発光部から発せられる光を透過させるグローブを備える、請求項１または２に記載のＬＥＤ照明装置。
【請求項４】
前記基台の前記上端部は、平面視において環状に形成されて上端面を構成しており、
前記台座は、前記上端面と角度をなす第１の面を有し、
前記発光部は、前記第１の面上に形成されている、請求項１ないし３のいずれかに記載のＬＥＤ照明装置。
【請求項５】
前記基台の前記上端部は、平面視において環状に形成されて上端面を構成しており、
前記台座は、前記上端面と角度をなす第１の面と、前記第１の面に接続されて前記第１の面と角度をなし且つ前記上端面と平行な第２の面と、を有し、
前記発光部は、前記第２の面上に形成されている、請求項１ないし３のいずれかに記載のＬＥＤ照明装置。
【請求項６】
前記発光部は、前記第１の面上にも形成されている、請求項５に記載のＬＥＤ照明装置。
【発明の詳細な説明】
【技術分野】
【０００１】
本発明は、光源としてＬＥＤチップを備えるＬＥＤ照明装置に関する。
【背景技術】
【０００２】
図３２は、従来のＬＥＤ電球の一例を示している（たとえば、特許文献１参照）。同図に示されたＬＥＤ電球９００は、ＬＥＤ基板９０１、複数のＬＥＤチップ９０２、基台９０３、電源部９０４、口金９０５、およびグローブ９０６を備えている。複数のＬＥＤチップ９０２は、ＬＥＤランプ９００の光源であり、ＬＥＤ基板９０１に搭載されている。ＬＥＤ基板９０１は、絶縁性材料からなり、基台９０３に固定されている。基台９０３は、たとえばアルミなどの金属からなり、複数のＬＥＤチップ９０２からの熱を外部へと放散する役割を果たす。口金９０５は、ＬＥＤ電球９００を照明器具などに取り付けるための部位であり、たとえばＪＩＳ規格に定められた仕様とされている。グローブ９０６は、複数のＬＥＤチップ９０２を保護するとともに、ＬＥＤチップ９０２からの光を透過させる。
【０００３】
複数のＬＥＤチップ９０２からの光は、図中上方においてもっとも輝度が高く、側方においては比較的輝度が低い。さらに、図中斜め下方には、ＬＥＤチップ９０２からの光が届きにくい。このため、一般的な白熱電球に代えてＬＥＤ電球９００を照明器具に取り付けて使用した場合、十分に照らされる明るい範囲と十分に照らされない暗い範囲とが生じてしまうという問題があった。
【先行技術文献】
【特許文献】
【０００４】
【特許文献１】特開２０１０−２２５４０９号公報
【発明の概要】
【発明が解決しようとする課題】
【０００５】
本発明は、上記した事情のもとで考え出されたものであって、より広い範囲を十分な照度で照らすことが可能なＬＥＤ照明装置を提供することをその課題とする。さらにまた、照明範囲の広い電球型発光ダイオード照明装置を提供することをその課題とする。
【課題を解決するための手段】
【０００６】
本発明の第１の側面によって提供されるＬＥＤ電球は、１以上のＬＥＤチップを有する１以上の発光部と、上記発光部が搭載された１以上の搭載面が形成された膨出部を有する台座と、上記台座に取り付けられた基台と、上記膨出部を覆い、かつ光を透過させるグローブと、備えることを特徴としている。
【０００７】
このような構成によれば、上記膨出部の上記搭載面に搭載された上記発光部は、上記グローブの中央により近い位置で発光する。この発光部からの光が、上記グローブを透して出射されることにより、上記ＬＥＤ電球は、様々な方向に光を発するものとなる。したがって、上記ＬＥＤ電球によって、より広い範囲を均一に照らすことができる。
【０００８】
本発明の第２の側面によれば、上記第１の側面にかかるＬＥＤ電球において、上記膨出部を覆い、かつ上記発光部と上記グローブとの間に隙間をおいて介在しており、上記発光部からの光を拡散させつつ透過する拡散性二次光源部を備える。
【０００９】
本発明の第３の側面によれば、上記第２の側面にかかるＬＥＤ電球において、上記拡散性二次光源部は、上記ＬＥＤチップからの光によって励起されることにより上記ＬＥＤチップからの光とは異なる波長の光を発する蛍光材料を含んでいる。
【００１０】
本発明の第４の側面によれば、上記第３の側面にかかるＬＥＤ電球において、上記拡散性二次光源部は、透明樹脂に上記蛍光材料が混入された材料からなる。
【００１１】
本発明の第５の側面によれば、上記第３の側面にかかるＬＥＤ電球において、上記拡散性二次光源部は、透明樹脂からなる透明層と、この透明層に積層された上記蛍光材料を含む蛍光層とを有する。
【００１２】
本発明の第６の側面によれば、上記第５の側面にかかるＬＥＤ電球において、上記透明層は、上記蛍光層に対して上記発光部側にある。
【００１３】
本発明の第７の側面によれば、上記第３の側面にかかるＬＥＤ電球において、上記拡散性二次光源部は、上記発光部の側方を囲み、透明樹脂からなる透明層と、上記発光部の正面に位置し、上記蛍光材料を含む蛍光層と、を有する。
【００１４】
本発明の第８の側面によれば、上記第３ないし第７のいずれかの側面にかかるＬＥＤ電球において、上記拡散性二次光源部は、回転対称形状である。
【００１５】
本発明の第９の側面によれば、上記第８の側面にかかるＬＥＤ電球において、上記拡散性二次光源部は、円筒部とドーム部とを有する。
【００１６】
本発明の第１０の側面によれば、上記第８の側面にかかるＬＥＤ電球において、上記拡散性二次光源部は、円錐状である。
【００１７】
本発明の第１１の側面によれば、上記第８の側面にかかるＬＥＤ電球において、上記拡散性二次光源部は、円錐台状である。
【００１８】
本発明の第１２の側面によれば、上記第８の側面にかかるＬＥＤ電球において、上記拡散性二次光源部は、有底円筒状である。
【００１９】
本発明の第１３の側面によれば、上記第８の側面にかかるＬＥＤ電球において、上記拡散性二次光源部は、部分球状である。
【００２０】
本発明の第１４の側面によれば、上記第３ないし第７のいずれかの側面にかかるＬＥＤ電球において、上記拡散性二次光源部は、直方体形状である。
【００２１】
本発明の第１５の側面によれば、上記第１ないし第１４のいずれかの側面にかかるＬＥＤ電球において、上記グローブは、光を拡散させつつ透過する。
【００２２】
本発明の第１６の側面によれば、上記第１ないし第１５のいずれかの側面にかかるＬＥＤ電球において、上記膨出部には、３つの上記搭載面が形成されており、上記３つの搭載面は、各々が１つの頂点とこの頂点から延びる２つの辺を有しているとともに、それぞれの頂点が互いに一致しており、かつ隣り合うものどうしの上記辺が接している。
【００２３】
本発明の第１７の側面によれば、上記第１６の側面にかかるＬＥＤ電球において、上記搭載面は、正方形状である。
【００２４】
本発明の第１８の側面によれば、上記第１ないし第１５のいずれかの側面にかかるＬＥＤ電球において、上記膨出部は、円形の上記搭載面と、この搭載面から上記基台に向かうほど断面寸法が大となるテーパ円筒形状の側面とを有する。
【００２５】
本発明の第１９の側面によれば、上記第１ないし第１８のいずれかの側面にかかるＬＥＤ電球において、上記発光部は、上記１以上のＬＥＤチップが搭載されたＬＥＤ基板を有する。
【００２６】
本発明の第２０の側面によれば、上記第１９の側面にかかるＬＥＤ電球において、上記ＬＥＤ基板は、セラミックスからなる。
【００２７】
本発明の第２１の側面によれば、上記第１９または第２０の側面にかかるＬＥＤ電球において、上記ＬＥＤ基板には、複数の上記ＬＥＤチップがマトリクス状に配置されている。
【００２８】
本発明の第２２の側面によれば、上記第１９ないし２１のいずれかの側面にかかるＬＥＤ電球において、上記発光部は、上記ＬＥＤチップを封止し、かつ上記ＬＥＤチップからの光を透過する封止樹脂を有する。
【００２９】
本発明の第２３の側面によれば、上記第２２の側面にかかるＬＥＤ電球において、上記発光部は、上記ＬＥＤ基板上に枠状に形成されて、上記封止樹脂を包囲する堰部を有する。
【００３０】
本発明の第２４の側面によって提供されるＬＥＤ電球は、１以上のＬＥＤチップを有する１以上の発光部と、上記発光部が搭載された１以上の搭載面を有する台座と、上記台座に取り付けられた基台と、上記発光部を覆い、かつ光を透過させるグローブと、上記発光部と上記グローブとの間に隙間をおいて介在しており、上記発光部からの光を拡散させつつ透過する拡散性二次光源部と、を備えることを特徴としている。
【００３１】
本発明のその他の特徴および利点は、添付図面を参照して以下に行う詳細な説明によって、より明らかとなろう。
【図面の簡単な説明】
【００３２】
【図１】本発明の第１実施形態に基づくＬＥＤ電球を示す斜視図である。
【図２】図１のＬＥＤ電球を示す要部平面図である。
【図３】図２のＩＩＩ−ＩＩＩ線に沿う断面図である。
【図４】図１のＬＥＤ電球の発光部を示す断面図である。
【図５】図１のＬＥＤ電球のケースを示す要部拡大断面図である。
【図６】本発明の第２実施形態に基づくＬＥＤ電球を示す断面図である。
【図７】本発明の第３実施形態に基づくＬＥＤ電球を示す断面図である。
【図８】本発明の第４実施形態に基づくＬＥＤ電球を示す断面図である。
【図９】本発明の第５実施形態に基づくＬＥＤ電球を示す斜視図である。
【図１０】本発明の第５実施形態に基づくＬＥＤ電球を示す断面図である。
【図１１】本発明の第６実施形態に基づくＬＥＤ電球を示す断面図である。
【図１２】本発明の第７実施形態に基づくＬＥＤ電球を示す断面図である。
【図１３】本発明の第８実施形態に基づくＬＥＤ電球を示す断面図である。
【図１４】本発明の第９実施形態に基づくＬＥＤ電球を示す断面図である。
【図１５】本発明の第１０実施形態に基づくＬＥＤ電球を示す断面図である。
【図１６】本発明の第１１実施形態に基づくＬＥＤ電球を示す断面図である。
【図１７】本発明の第１２実施形態に基づくＬＥＤ電球を示す断面図である。
【図１８】本発明の第１３実施形態に基づくＬＥＤ電球を示す断面図である。
【図１９】本発明の第１４実施形態に基づくＬＥＤ電球を示す断面図である。
【図２０】本発明の第１５実施形態に基づくＬＥＤ電球を示す断面図である。
【図２１】本発明の他の側面による第１の実施形態にかかるＬＥＤランプの斜視図を示す。
【図２２】本発明の他の側面による第１の実施形態にかかるＬＥＤランプの断面図である。
【図２３】本発明の他の側面による第２の実施形態にかかるＬＥＤランプの断面図である。
【図２４】本発明の他の側面による第３の実施形態にかかるＬＥＤランプの断面図である。
【図２５】本発明の他の側面による第４の実施形態にかかるＬＥＤランプの断面図である。
【図２６】本発明の他の側面による第５の実施形態にかかるＬＥＤランプの断面図である。
【図２７】本発明の他の側面による第６の実施形態にかかるＬＥＤランプの断面図である。
【図２８】本発明の他の側面による第７の実施形態にかかるＬＥＤランプの断面図である。
【図２９】本発明の他の側面による第８の実施形態にかかるＬＥＤランプの断面図である。
【図３０】本発明の他の側面による第９の実施形態にかかるＬＥＤランプの断面図である。
【図３１】本発明の他の側面による第１の実施形態にかかるＬＥＤランプと、従来のクリプトン球とを示す断面図である。
【図３２】従来のＬＥＤ電球を示す断面図である。
【発明を実施するための形態】
【００３３】
以下、本発明の好ましい実施の形態につき、図面を参照して具体的に説明する。
【００３４】
図１〜図３は、本発明の第１実施形態に基づくＬＥＤ照明装置の一例であるＬＥＤ電球を示している。本実施形態のＬＥＤ電球１０１は、発光部２００、ケースカバー３００、台座４００、基台５００、電源部６００、口金６５０、およびグローブ７００を備えている。ＬＥＤ電球１０１は、一般的な白熱電球に代えて照明器具に取り付けられるものである。本実施形態においては、ＬＥＤ電球１０１は、全長が６７ｍｍ程度、グローブ７００の直径が３５ｍｍ程度とされ、ＪＩＳ規格に定められたＥ１７型の口金６５０を備えることにより、ミニクリプトン球と称される電球の代替製品として使用されることが意図されている。
【００３５】
複数の発光部２００は、本実施形態においては各々が全体として矩形薄板状とされており、図２に示すように、３つの発光部２００が設けられている。図４に示すように、発光部２００は、ＬＥＤ基板２１０、複数のＬＥＤチップ２２０、封止樹脂２３０、および堰部２４０を有している。ＬＥＤ基板２１０は、矩形状であり、たとえばアルミナなどのセラミックスからなる。ＬＥＤ基板２１０には、複数のＬＥＤチップ２２０を搭載し、これらのＬＥＤチップ２２０に電力を供給する経路となる配線パターン（図示略）が形成されている。
【００３６】
各ＬＥＤチップ２２０は、たとえばＧａＮ系半導体材料からなるｐ型半導体層、ｎ型半導体層、これらのｐ型半導体層およびｎ型半導体層に挟まれた活性層を有しており、たとえば青色光を発する。本実施形態においては、ＬＥＤチップ２２０は、上述したＬＥＤ基板２１０の配線パターンに対して２つのワイヤを介して接続される、いわゆる２ワイヤタイプであるが、これに限定されず、１ワイヤタイプのものや、フリップチップタイプのものであってもよい。複数のＬＥＤチップ２２０は、ＬＥＤ基板２１０上にマトリクス状に配置されている。
【００３７】
封止樹脂２３０は、複数のＬＥＤチップ２２０を封止しており、ＬＥＤチップ２２０からの光を透過するたとえばシリコーン樹脂またはエポキシ樹脂などの樹脂材料からなる。堰部２４０は、ＬＥＤ基板２１０上において矩形枠状に形成されており、たとえば白色のシリコーン樹脂からなる。堰部２４０は、封止樹脂２３０の形成において、液状の樹脂材料を堰き止めることにより、この樹脂材料が意図しない領域に流出することを防止する。
【００３８】
台座４００は、図１〜図３に示すように、膨出部４１０と鍔板４３０とからなり、たとえばアルミなどの金属を鋳造することによって形成されている。あるいは、金属板を折り曲げ加工することにより、台座４００を形成してもよい。
【００３９】
膨出部４００は、ケースカバー３００およびグローブ７００の内方中央部に向かって膨出している部分であり、本実施形態においては、３つの搭載面４０１と複数の側面４０２とを有する。各搭載面４０１は、正方形状とされている。３つの搭載面４０１は、それぞれの一頂点どうしが一致している。また、隣り合う搭載面４０１は、上記頂点から延びる辺どうしが接している。このような位置関係とされることにより、３つの搭載面４０１は、側面視において上記頂点を頂とする鋭利な山形状であり、平面視において六角形状を呈している。各搭載面４０１には、発光部２００が一つずつ搭載されている。また、本実施形態においては、各搭載面４０１の下方隅部に配線用貫通孔４２０が形成されている。各側面４０２は、各搭載面４０１の４辺のうち隣り合う搭載面４０１の辺と接していない辺から下方に広がる面である。鍔板４３０は、膨出部４１０から側方に延びており、本実施形態においては円環状とされている。鍔板４３０には、各々が矩形状とされた複数の固定用孔４５０が形成されている。複数の固定用孔４５０は、膨出部４１０を囲む円周上に配置されている。
【００４０】
膨出部４１０には、３つの放熱用貫通孔４２１が形成されている。放熱用貫通孔４２１を通じて、台座４００の外側空間と内側空間とがつながっている。鍔板４３０には、３つのボルト用貫通孔４３１および３つのザグリ穴４３２が形成されている。ボルト用貫通孔４３１は、台座４００を基台５００に対して固定するボルト４４１を通すためのものである。ザグリ穴４３２は、ボルト４４１の頭部を鍔板４３０内に沈降させるためのものであり、直径がボルト用貫通孔４３１の直径よりも大である円形の凹部である。本実施形態においては、ザグリ穴４３２を形成するためのドリル加工を施す際に、鍔板４３０だけでなく、膨出部４１０の周縁付近のごく一部を切削している。これにより、台座４００には、３つの切欠き４２２が形成されている。切欠き４２２が膨出部４１０の厚さ方向に貫通した部分が、上述した放熱用貫通孔４２１となっている。このような形成手法の結果、切欠き４２２の一部によって、ザグリ穴４３２が構成される格好となっている。ザグリ穴４３２には、固定樹脂４４２が充てんされている。固定樹脂４４２は、ボルト４４１の緩みを防止するためのものであり、本実施形態においては、ザグリ穴４３２のおよそ半分の領域に充てんされている。なお、図１および図２においては、理解の便宜上、固定樹脂４４２を省略している。
【００４１】
基台５００は、台座４００が取り付けられており、本実施形態においては、本体５１０およびスペーサ５２０からなる。基台５００の材質としては、熱伝導率が高いものが好ましく、たとえばアルミなどの金属が用いられる。なお、本実施形態とは異なり、基台５００を一体成型品として形成してもよい。
【００４２】
本体５１０は、全体として半楕円体とされており、複数のフィン５１１を有している。複数のフィン５１１は、外方に向かって放射状に形成されている。本体５１０には、電源収容凹部５１２が形成されている。電源収容凹部５１２は、電源部６００の少なくとも一部を収容する部位であり、本実施形態においては、電源部６００のほとんどを収容している。スペーサ５２０は、円板状であり、図３に示すように、本体５１０の図中上端に取り付けられている。スペーサ５２０には、開口５２１が形成されている。開口５２１は、電源部６００との干渉を回避するために設けられている。また、スペーサ５２０には、図５に示すように固定用孔５５０が形成されている。
【００４３】
ケースカバー３００は、本発明でいう拡散性二次光源部の一例に相当し、台座４００の膨出部４１０を覆っている。本実施形態においては、ケースカバー３００は、膨出部４１０を側方から囲む円筒状部と、膨出部４１０を上方から覆うドーム状部とを有している。ケースカバー３００は、発光部２００からの光を拡散させつつ透過する。本実施形態においては、ケースカバー３００は、透明な樹脂に蛍光材料が混入された材質からなる。この蛍光材料は、発光部２００からの青色光によって励起されることにより黄色光を発する。この黄色光と発光部２００からの青色光とが混色することにより、ケースカバー３００は、白色光を発するような外観を呈する。また、上記蛍光材料は、発光部２００からの光を拡散する機能を果たす。図５に示すように、ケースカバー３００には、爪部３５０が形成されている。爪部３５０は、台座４００の鍔板４３０の固定用孔４５０に係合することにより、ケースカバー３００を台座４００に固定する役割を果たす。基台５００のスペーサ５２０の固定用孔５５０は、爪部３５０とスペーサ５２０との干渉を回避している。
【００４４】
グローブ７００は、発光部２００が搭載された膨出部４１０およびケースカバー３００を覆っており、これらを収容している。グローブ７００は、ケースカバー３００から出射された光を透過する。さらに本実施形態においては、グローブ７００は、光を拡散させつつ透過させる構成とされている。このようなグローブ７００は、たとえば乳白色の半透明な樹脂からなる。グローブ７００は、部分球形状とされており、その直径が３５ｍｍ程度である。本実施形態においては、図３に示すように、上下方向においてグローブ７００の水平断面形状が最大となる部分（中央部分）に、ケースカバー３００が重なる配置とされている。
【００４５】
電源部６００は、たとえば商用の交流１００Ｖ電源から発光部２００（ＬＥＤチップ２２０）を点灯させるのに適した直流電力を発生させ、この直流電力を発光部２００（ＬＥＤチップ２２０）に供給するものであり、図３に示すように、電源基板６１０、複数の電子部品６２０、および配線６３０を備えている。
【００４６】
電源基板６１０は、たとえばガラスコンポジッド銅張積層板からなり、全体として円形状とされている。電源基板６１０の図中下面には、複数の電子部品６２０が実装されている。電源基板６１０は、基台５００のスペーサ５２０の開口５２１を塞ぐように配置されている。電源基板６１０には、放熱用貫通孔６１１が形成されている。放熱用貫通孔６１１は、台座４００の放熱用貫通孔４２１と平面視において同じ位置に設けられている。
【００４７】
複数の電子部品６２０は、たとえば商用の交流１００Ｖ電源を発光部２００（ＬＥＤチップ２２０）を点灯させるのに適した直流電力に変換する機能を果たす。複数の電子部品６２０は、たとえば、コンデンサ、抵抗、コイル、ダイオード、ＩＣなどを含む。たとえば、図３において、電源収容凹部５１２のほぼ中央において、図中下方にもっとも突出した電子部品６２０は、コンデンサである。
【００４８】
配線６３０は、複数の電子部品６２０からの直流電力を発光部２００へと導くためのものである。配線６３０は、電源基板６１０から台座４００の配線用貫通孔４２０を通じて発光部２００に到達している。
【００４９】
口金６５０は、たとえばＪＩＳ規格に準拠した一般的な電球用の照明器具に取り付けるための部分である。本実施形態においては、口金６５０は、ＪＩＳ規格に定められたＥ１７の仕様を満たす構成とされている。口金６５０は、電源部６００に対して配線によって接続されている。
【００５０】
次に、ＬＥＤ電球１０１の作用について説明する。
【００５１】
本実施形態によれば、膨出部４１０の搭載面４０１に搭載された発光部２００は、グローブ７００の中央に近い位置で発光する。この発光部２００からの光は、図３において上方、側方に加えて、斜め下方向にも進行する。これらの光は、ケースカバー３００の蛍光材料を励起することにより黄色光を発する励起光となるとともに、ケースカバー３００によって拡散される。このため、ケースカバー３００からは、発光部２００から発せられた光よりもより広い領域に向かって白色光が発せられる。そして、ケースカバー３００を覆うグローブ７００によってこの白色光がさらに拡散される。したがって、ＬＥＤ電球１０１においては、部分球形状のグローブ７００全体が均一に白色に光る外観を呈することとなり、より広い範囲を均一に照らすことができる。このようなＬＥＤ電球１０１は、たとえばミニクリプトン球の代替製品として用いられるのに適している。
【００５２】
膨出部４１０を、それぞれが正方形状である３つの搭載面４０１が頂点を共有するように集合した形状とすることにより、３つの搭載面４０１が互いに全く異なる方向を向く構成となっている。これにより、３つの発光部２００からより広い範囲に光を発することができる。また、各搭載面４０１は、図３において斜め上を向く姿勢となっている。この搭載面４０１に搭載された発光部２００からは、斜め下方向に光が発せられやすい。これは、ＬＥＤ電球１０１を一般的な白熱電球のように広い範囲を照らす照明器具とするのに好適である。
【００５３】
ケースカバー３００は、円筒部とドーム状部とを有しており、グローブ７００は、部分球形状とされている。これにより、ケースカバー３００からの光がグローブ７００に対して不均一に入射することを抑制することが可能であり、グローブ７００を均一に光らせるのに適している。
【００５４】
放熱用貫通孔４２１を設けることにより、発光部２００からの熱を膨出部４１０および本体５１０内の空間を介して本体５１０へと伝えることができる。本体５１０は、複数のフィン５１１が形成されており、放熱性に優れる。したがって、発光部２００が不当に高熱となってしまうのを防止することができる。
【００５５】
セラミックスからなるＬＥＤ基板２１０は、複数のＬＥＤチップ２２０からの熱を台座４００に伝えるのに適している。
【００５６】
図６〜図２０は、本発明の他の実施形態を示している。なお、これらの図において、上記実施形態と同一または類似の要素には、上記実施形態と同一の符号を付している。
【００５７】
図６は、本発明の第２実施形態に基づくＬＥＤ電球を示している。本実施形態のＬＥＤ電球１０２は、ケースカバー３００の構成が上述した実施形態と異なっている。本実施形態においては、ケースカバー３００は、蛍光層３２０と透明層３３０とを有している。透明層３３０は、たとえば透明なエポキシ樹脂あるいまアクリル樹脂からなる。蛍光層３２０は、青色光によって励起されることにより黄色光を発する蛍光材料が混入された樹脂からなり、透明層３３０の外側を覆っている。
【００５８】
このような構成によっても、ＬＥＤ電球１０２においては、部分球形状のグローブ７００全体が均一に白色に光る外観を呈することとなり、より広い範囲を均一に照らすことができる。また、発光部２００からの青色光は可視光の中では比較的短波長であり屈折しやすい。この青色光がケースカバー３００の透明層３３０によって様々な方向に屈折または反射される。この屈折した後の青色光を蛍光層３２０によって拡散することにより、より広い領域に白色光を向かわせる効果が期待できる。
【００５９】
図７は、本発明の第３実施形態に基づくＬＥＤ電球を示している。本実施形態のＬＥＤ電球１０３は、ケースカバー３００を備えない点、および発光部２００の構成が、上述した実施形態と異なっている。本実施形態においては、図４に示す発光部２００の封止樹脂２３０が蛍光材料を含む樹脂によって形成されている。この蛍光材料は青色光によって励起されることにより黄色光を発するものである。このような構成により、発光部２００は、白色光を発する。グローブ７００は、発光部２００からの白色光を拡散させつつ透過させる。
【００６０】
このような構成によっても、ＬＥＤ電球１０３においては、部分球形状のグローブ７００の中央付近に発光部２００が配置されていることにより、グローブ７００のほとんどの部分に発光部２００からの光を到達させることができる。したがって、より広い領域を均一に照らすことができる。
【００６１】
図８は、本発明の第４実施形態に基づくＬＥＤ電球を示している。本実施形態のＬＥＤ電球１０４は、発光部２００およびグローブ７００の構成が上述したＬＥＤ電球１０３と異なっている。本実施形態においては、発光部２００は、青色光を発する。グローブ７００は、蛍光材料が混入された樹脂からなる。この蛍光材料は、青色光によって励起されることにより黄色光を発するものである。グローブ７００は、発光部２００からの青色光を拡散させつつ透過させるとともに、上記蛍光材料からの黄色光を発する。これにより、グローブ７００は、白色光を発するような外観を呈する。
【００６２】
このような構成によっても、ＬＥＤ電球１０４においては、部分球形状のグローブ７００の中央付近に発光部２００が配置されていることにより、グローブ７００のほとんどの部分に発光部２００からの光を到達させることができる。したがって、より広い領域を均一に照らすことができる。
【００６３】
図９および図１０は、本発明の第５実施形態に基づくＬＥＤ電球を示している。本実施形態のＬＥＤ電球１０５は、台座４００およびケースカバー３００の構成が、上述した実施形態と異なっている。本実施形態においては、台座４００の膨出部４１０が円錐台状とされている。搭載面４０１は、膨出部４１０の天面にあたり円形状とされている。側面４０２は、基台５００に向かうほど断面直径が大となるテーパ円筒形状とされている。搭載面４０１には、配線用貫通孔４２０と複数の固定用孔４５０が形成されている。
【００６４】
ケースカバー３００は、直方体形状とされており、膨出部４１０の搭載面４０１に取り付けられている。本実施形態においては、発光部２００は、白色光を発する。ケースカバー３００は、拡散層３１０によって構成されている。拡散層３１０は、たとえば乳白色の半透明樹脂によって形成されている。グローブ７００も、たとえば乳白色の半透明樹脂によって形成されている。また、ケースカバー３００を、図１０に示す断面図で表されるような有底円筒形状としてもよい。
【００６５】
このような構成によっても、ＬＥＤ電球１０５においては、部分球形状のグローブ７００全体が均一に白色に光る外観を呈することとなり、より広い範囲を均一に照らすことができる。
【００６６】
図１１は、本発明の第６実施形態に基づくＬＥＤ電球を示している。本実施形態のＬＥＤ電球１０６は、ケースカバー３００が円錐形状とされている。
【００６７】
このような構成によっても、ＬＥＤ電球１０６においては、グローブ７００全体が均一に白色に光る外観を呈することとなり、より広い範囲を均一に照らすことができる。
【００６８】
図１２は、本発明の第７実施形態に基づくＬＥＤ電球を示している。本実施形態のＬＥＤ電球１０７においては、ケースカバー３００が、直径が一定でない有底円筒形状とされている。ケースカバー３００は、台座４００から上方に向かうほど直径が大となっている。
【００６９】
このような構成によっても、ＬＥＤ電球１０７においては、グローブ７００全体が均一に白色に光る外観を呈することとなり、より広い範囲を均一に照らすことができる。
【００７０】
図１３は、本発明の第８実施形態に基づくＬＥＤ電球を示している。本実施形態のＬＥＤ電球１０８においては、ケースカバー３００が、直径が一定でない有底円筒形状とされている。ケースカバー３００は、台座４００から上方に向かうほど直径が小となっている。
【００７１】
このような構成によっても、ＬＥＤ電球１０８においては、グローブ７００全体が均一に白色に光る外観を呈することとなり、より広い範囲を均一に照らすことができる。
【００７２】
図１４は、本発明の第９実施形態に基づくＬＥＤ電球を示している。本実施形態のＬＥＤ電球１０９においては、ケースカバー３００が、部分球形状とされている。
【００７３】
このような構成によっても、ＬＥＤ電球１０９においては、グローブ７００全体が均一に白色に光る外観を呈することとなり、より広い範囲を均一に照らすことができる。特に、ケースカバー３００とグローブ７００とがともに部分球形状であることにより、グローブ７００のより広い領域を白色に光らせることができる。
【００７４】
図１５は、本発明の第１０実施形態に基づくＬＥＤ電球を示している。本実施形態のＬＥＤ電球１１０においては、グローブ７００および発光部２００の構成が上述したＬＥＤ電球１０９と異なっている。本実施形態においては、発光部２００は、青色光を発する構成とされている。グローブ７００は、蛍光層７２０によって構成されている。蛍光層７２０は、透明な樹脂に蛍光材料が混入された材料からなる。この蛍光材料は、発光部２００からの青色光によって励起されることにより、黄色光を発する材料からなる。
【００７５】
このような構成によっても、ＬＥＤ電球１１０においては、グローブ７００全体が均一に白色に光る外観を呈することとなり、より広い範囲を均一に照らすことができる。
【００７６】
図１５は、本発明の第１１実施形態に基づくＬＥＤ電球を示している。本実施形態のＬＥＤ電球１１１においては、グローブ７００の構成が上述したＬＥＤ電球１１０と異なっている。本実施形態においては、グローブ７００は、蛍光層７２０および透明層７３０によって構成されている。透明層７３０は、たとえば、透明な樹脂材料からなる。蛍光層７２０は、透明層７３０の内側に積層されている。蛍光層７２０は、上述したＬＥＤ電球１１０における構成のほかに、上記蛍光材料を透明層７３０の内側に吹き付けることによって形成してもよい。
【００７７】
このような構成によっても、ＬＥＤ電球１１１においては、グローブ７００全体が均一に白色に光る外観を呈することとなり、より広い範囲を均一に照らすことができる。
【００７８】
図１７は、本発明の第１２実施形態に基づくＬＥＤ電球を示している。本実施形態のＬＥＤ電球１１２においては、ケースカバー３００が、蛍光層３２０によって構成されている。蛍光層３２０は、青色光によって励起されることにより黄色光を発するとともに、青色光を拡散する役割を果たす。また、蛍光材料からの黄色光の出射方向は、青色光の入射方向にほとんど依存せずランダムな方向となる。発光部２００は、青色光を発する構成とされている。本実施形態と同様に、上述したＬＥＤ電球１０５〜１０９において、ケースカバー３００を蛍光層３２０によって構成し、発光部２００が青色光を発する構成としてもよい。
【００７９】
このような構成によっても、ＬＥＤ電球１１２においては、グローブ７００全体が均一に白色に光る外観を呈することとなり、より広い範囲を均一に照らすことができる。
【００８０】
図１８は、本発明の第１３実施形態に基づくＬＥＤ電球を示している。本実施形態のＬＥＤ電球１１３においては、ケースカバー３００の構成が上述したＬＥＤ電球１１２と異なっている。本実施形態においては、ケースカバー３００は、蛍光層３２０および透明層３３０によって構成されている。透明層３３０は、たとえば、透明な樹脂材料からなる。蛍光層３２０は、透明層３３０の外側に積層されている。蛍光層３２０は、蛍光材料が混入された樹脂によって形成された構成ほかに、上記蛍光材料を透明層３３０の外側に吹き付けることによって形成してもよい。
【００８１】
このような構成によっても、ＬＥＤ電球１１３においては、グローブ７００全体が均一に白色に光る外観を呈することとなり、より広い範囲を均一に照らすことができる。
【００８２】
図１９は、本発明の第１４実施形態に基づくＬＥＤ電球を示している。本実施形態のＬＥＤ電球１１４においては、ケースカバー３００が拡散層３１０と透明層３３０とによって構成されている。透明層３３０は、円筒形状であり発光部２００を側方から囲んでいる。拡散層３１０は、円形状であり透明層３３０の上端に取り付けられている。拡散層３１０は、発光部２００の上方正面に位置している。発光部２００は、白色光を発する構成とされている。
【００８３】
このような構成によっても、ＬＥＤ電球１１４においては、グローブ７００全体が均一に白色に光る外観を呈することとなり、より広い範囲を均一に照らすことができる。発光部２００から拡散層３１０に進行した光は、その一部が下方に反射される。この反射された光は、透明層３３０を透過して、斜め下方に進行する。この光は、グローブ７００の下端寄り部分に到達する。したがって、グローブ７００の下端寄り部分からより明るい光を出射することができる。
【００８４】
図２０は、本発明の第１５実施形態に基づくＬＥＤ電球を示している。本実施形態のＬＥＤ電球１１５は、台座４００の構成が上述した実施形態と異なっている。本実施形態においては、台座４００は、円板状とされており、上述した実施形態における膨出部４１０は設けられていない。台座４００の上面中央付近が、搭載面４０１となっている。発光部２００は、この搭載面４０１に搭載されている。ケースカバー３００は、比較的上下寸法が大である直方体形状あるいは有底円筒形状とされている。ケースカバー３００の高さは、上下方向においてグローブ７００の水平方向断面寸法が大となる中央部とケースカバー３００とが、上下方向において十分に重なる寸法とされている。ケースカバー３００は、拡散層３１０によって構成されており、発光部２００は、白色光を発する。この構成に代えて、ケースカバー３００を蛍光層３２０によって構成し、発光部２００を青色光を発する構成としてもよい。
【００８５】
このような構成によっても、グローブ７００の内部において比較的高い形状とされたケースカバー３００が発光部２００からの光を受けて白色に輝く外観を呈する。このケースカバー３００を覆うグローブ７００は、ケースカバー３００からの白色光を広い領域で受けることとなる。したがって、ＬＥＤ電球１１５においてもより広い領域を均一に照らすことができる。
【００８６】
本発明に係るＬＥＤ電球は、上述した実施形態に限定されるものではない。本発明に係るＬＥＤ電球の各部の具体的な構成は、種々に設計変更自在である。
【００８７】
以下に、本発明の他の側面による実施形態について、図２１〜図３１を参照しつつ説明する。
【００８８】
（第１の実施形態）
図２１および図２２に示すＬＥＤランプＡ１は、基台１、台座２、台座２上に固定された発光部３、口金４、半球状のグローブ５、およびケースカバー７を備えている。このＬＥＤランプＡ１の口金４は、ねじ込み式の既設の電球用ソケット（たとえば、クリプトン球用のソケット（Ｅ１７口金））に装着可能となっており、ＬＥＤランプＡ１は、クリプトン電球の代替として用いることが可能となっている。グローブ５は、台座２、発光部３を覆うようにして、基台１に固定されている。グローブ５は、発光部３からの光を拡散させる機能を有する。
【００８９】
基台１の内部は空洞になっており、内部にＡＣ−ＤＣコンバータ６が格納されている。ＡＣ−ＤＣコンバータ６は口金４に接続されているとともに、図示しない配線により発光部３に接続されている。ＡＣ−ＤＣコンバータ６は、交流電圧を直流電圧に変換して発光部３に供給する。台座２は基台１に嵌めこまれている。台座２の上面２ａは基台１の上端よりもさらに上方に突出している。ケースカバー７の端部よりもグローブ５の端部は口金４側に配置されている。なお、基台１はたとえばアルミニウムなどの放熱性の良い材質からなる。基台１の外壁にはフィン（図示略）が形成されており、放熱性が向上されている。
【００９０】
発光部３は、セラミック基板３ａ上に搭載された複数のＬＥＤ発光素子が配置される発光領域３ｂを有する発光体（chiponboard、図２２参照）である。複数のＬＥＤ発光素子は、基板３ａ上に搭載された状態で、封止樹脂（図示せず）により封止されている。発光領域３ｂは、方形状である。台座２の上面２ａ上には、発光部３を覆うように、箱状のケースカバー７（内側カバー）が固定されている。ケースカバー７は、発光領域３ｂの辺と平行な面を有する直方体である。
【００９１】
第１の実施形態では、発光部３は、青色ＬＥＤの上に蛍光体が塗布された白色光源であるとともに、ケースカバー７は発光部３からの光を拡散する拡散部材からなる。ケースカバー７の全面が拡散板で構成されている。発光部３から上方に向かって照射された光は拡散部材によって拡散されることにより、台座２よりも下方にまで照射範囲が拡げられる。図３１に示すように、第１実施形態のＬＥＤランプＡ１（図３１（Ａ）参照）は、ケースカバー７の中心７ａが従来のクリプトン球Ｂ１（図３１（Ｂ）参照）のフィラメント１０の中心と一致（線９０で示す高さ位置）するように構成されている。たとえば、ソケット４の先端部４ａ（線９４の高さ位置）からケースカバー７の中央部７ａ（光源の中心（線９０））までの距離は、クリプトン球のソケットの先端部４ａからフィラメント１０までの距離と略同一である。なお、距離は、約３５ｍｍ〜約４５ｍｍである。これにより、ケースカバー７から放射される光は、ケースカバー７がない場合に比べて照明範囲が広がっており、ＬＥＤランプＡ１の照明範囲は、クリプトン球Ｂ１に近い照明範囲を持つことになる。また、発光部３を拡散部材で覆うことにより、発光強度が分散されるので、外部から見た場合の発光強度のムラが生じる（ＬＥＤ素子の部分が光って見えてしまう）のを抑制できる。また、発光中心７ａ（線９０）からグローブ５の先端部（線９２）までの距離は、フィラメント１０の中央部（線９０）からグローブ５の先端部までの距離と略同一である。線９０から線９２までの距離は約１５ｍｍ〜約２０ｍｍである。発光中心の位置を合わせることにより、以下の効果がある。すなわち、クリプトン球はソケットに斜めまたは横向きに装着する器具があり、クリプトン球のフィラメントの位置（発光中心）に合わせてその器具が設計されている。従来のＬＥＤランプは横向きの光量が少ないため、上記のようにクリプトン球と置き換えて斜めに装着した場合には、照射範囲に偏りが生じる。その一方、本実施形態のＬＥＤランプＡ１は横方向の光量もクリプトン球に近くすることができる。このように、ＬＥＤランプＡ１の発光中心７ａをフィラメント１０と同じ位置にすることにより、その器具にＬＥＤランプＡ１を装着しても好適に照明することができる。
【００９２】
（第２の実施形態）
図２３は、第２の実施形態によるＬＥＤランプを示す断面図である。図２３に示すように、第２の実施形態では、上記第１実施形態と異なり、台座１２の上面が基台１１の上端と同一の高さ位置にある。そして、台座１２の上面が下がった分、ケースカバー１７が高くなっている。その結果、第１実施形態と第２実施形態とでケースカバーの上面の位置は同一である。その他の構成は第１実施形態と同様である。
【００９３】
（第３の実施形態）
図２４は、第３の実施形態によるＬＥＤランプを示す断面図である。図２４に示すように、第３の実施形態では、箱状のケースカバー７を用いた上記第１の実施形態と異なり、半球状のケースカバー２７を用いている。その他の構成は第１の実施形態と同様である。
【００９４】
（第４の実施形態）
図２５は、第４の実施形態によるＬＥＤランプを示す断面図である。図２５に示すように、第４の実施形態では、箱状のケースカバー７を用いた上記第１の実施形態と異なり、角錐状のケースカバー３７を用いている。その他の構成は第１の実施形態と同様である。
【００９５】
（第５の実施形態）
図２６は、第５の実施形態によるＬＥＤランプを示す断面図である。図２６に示すように、第５の実施形態では、箱状のケースカバー７を用いた上記第１の実施形態と異なり、台形状のケースカバー４７を用いている。ケースカバー４７は、台座２への固定端から上方に向かうに従って径が大きくなっており、上面４７ａは平坦となっている。その他の構成は第１の実施形態と同様である。
【００９６】
（第６の実施形態）
図２７は、第６の実施形態によるＬＥＤランプを示す断面図である。図２７に示すように、第６の実施形態では、箱状のケースカバー７を用いた上記第１の実施形態と異なり、台形状のケースカバー５７を用いている。ケースカバー５７は、台座２への固定端から上方に向かうに従って径が小さくなっており、上面５７ａは平坦となっている。その他の構成は第１の実施形態と同様である。
【００９７】
（第７の実施形態）
図２８は、第７の実施形態によるＬＥＤランプを示す断面図である。図２８に示すように、第７の実施形態では、平坦な上面２ａを有する台座２を用いた上記第１の実施形態と異なり、角錐状（たとえば、４角錐）の外側面を有する台座６２を用いている。４角錐の４つの側面の上端近傍に、それぞれ、発光部（発光領域６３ａ、基板６３ｂ、発光領域６３ｃ、基板６３ｄ）が設けられている。また、発光部３を覆うように半球形状のケースカバー６７が設けられている。これにより、発光部３は従来の電球のフィラメントに近似する位置に配置されている。その他の構成は第１の実施形態と同様である。
【００９８】
（第８の実施形態）
図２９は、第８実施形態によるＬＥＤランプを示す断面図である。図２９に示すように、第８実施形態では、白色光源および拡散体を用いた上記第１の実施形態と異なり、青色ＬＥＤの上に蛍光体が塗布されていない青色光源７３ａと基板７３ｂからなる発光部７３を用いている。そして、ケースカバー７７の表面には、青色光を受けて白色光を出すために蛍光体が塗布されている。その他の構成は第１の実施形態と同様である。
【００９９】
（第９の実施形態）
図３０は、第９の実施形態によるＬＥＤランプを示す断面図である。図３０に示すように、第９の実施形態では、全面が拡散板で構成されたケースカバー７を用いた上記第１実施形態と異なり、上面８７のみが拡散板から構成され、側面８８は拡散性を有しない透光板から構成されたケースカバーを用いている。上面８７は、ＬＥＤからの光を拡散するとともに、反射して下方にも出す。その他の構成は第１の実施形態と同様である。
【０１００】
上記実施形態では、ケースカバーが直方体や角錐、半球状である例を示したが、他の形状でもよい。たとえば、円錐形状や円柱状、または円錐台形状などの中心軸に対する回転対称形状でもよい。
【０１０１】
本発明の他の側面にかかる電球型発光ダイオード照明装置の技術的特徴を、以下に付記として記載する。
【０１０２】
〔付記１〕
電源部と、電源部から電力供給を受ける発光ダイオードチップと前記発光ダイオードチップから発生する光によって照明される拡散性二次光源部と、前記拡散性二次光源部を覆う拡散性のカバーを有することを特徴とする電球型発光ダイオード照明装置。
〔付記２〕
前記拡散性二次光源部は前記発光ダイオードチップを覆う拡散性の内側カバーであることを特徴とする付記１記載の電球型発光ダイオード照明装置。
〔付記３〕
発光ダイオードチップは所定波長の光源光を発生するとともに、前記拡散性二次光源部は前記光源光により照明されることにより前記光源光よりも長波長側の蛍光を発生する蛍光発生部であることを特徴とする付記１記載の電球型発光ダイオード照明装置。
〔付記４〕
前記蛍光発生部は、前記発光ダイオードチップを覆う内側カバーであることを特徴とする付記３記載の電球型発光ダイオード照明装置。
〔付記５〕
ソケットに挿入される接点部を有し、前記内側カバーを覆う前記拡散性のカバー端は前記内側カバー端よりも前記接点部寄りに配置されることを特徴とする付記２または４記載の電球型発光ダイオード照明装置。
〔付記６〕
前記発光ダイオードチップは方形であるとともに前記内側カバーは前記方形の辺とほぼ平行な面を有する直方体であることを特徴とする付記２または４または５記載の電球型発光ダイオード照明装置。
〔付記７〕
前記内側カバーは回転対称体であることを特徴とする付記２または４または５記載の電球型発光ダイオード照明装置。
〔付記８〕  前記内側カバーはほぼ球状であることを特徴とする付記７記載の電球型発光ダイオード照明装置。
〔付記９〕
前記内側カバーは円錐状であることを特徴とする付記７記載の電球型発光ダイオード照明装置。
〔付記１０〕
前記内側カバーは円錐台状であることを特徴とする付記７記載の電球型発光ダイオード照明装置。
〔付記１１〕
前記内側カバーは円柱状であることを特徴とする付記７記載の電球型発光ダイオード照明装置。
〔付記１２〕
ソケットに挿入される接点部を有し、前記拡散性二次光源部の中心がＥ１７口金に適合する電球のフィラメント位置に近似する位置に配置されることを特徴とする付記１から１１のいずれかに記載の電球型発光ダイオード照明装置。
〔付記１３〕
ソケットに挿入される接点部と、発光ダイオードチップを光源とする光源部とを有し、前記光源部の中心がＥ１７口金に適合する電球のフィラメント位置に近似する位置に配置されることを特徴とする電球型発光ダイオード照明装置。
〔付記１４〕
ソケットに挿入されるＥ１７口金接点部と、電源部と、電源部から電力供給を受ける発光ダイオードチップを有する光源部と、前記光源部を覆う拡散性のカバーと、前記発光ダイオードチップを載置する載置部とを有し、前記拡散性のカバー端は前記載置部よりも前記接点部寄りに配置されることを特徴とする電球型発光ダイオード照明装置。
〔付記１５〕
前記光源部を覆う内側カバーが前記載置部に載置されることを特徴とする付記１４記載の電球型発光ダイオード照明装置。
【符号の説明】
【０１０３】
１０１〜１１２  ＬＥＤ電球
２００  発光部
２１０  ＬＥＤ基板
２２０  ＬＥＤチップ
２３０  封止樹脂
２４０  堰部
３００  ケースカバー（拡散性二次光源部）
３１０  拡散層
３２０  蛍光層
３３０  透明層
３５０  爪部
４００  台座
４０１  搭載面
４０２  側面
４１０  膨出部
４２０  配線用貫通孔
４２１  放熱用貫通孔
４２２  切欠き
４３０  鍔板
４３１  ボルト用貫通孔
４３２  ザグリ穴４４１  ボルト
４４２  固定樹脂
４５０  固定用孔
５００  基台
５１０  本体
５１１  フィン
５１２  電源収容凹部
５２０  スペーサ
５２１  開口
５５０  固定用孔
６００  電源部
６１０  電源基板
６１１  放熱用貫通孔
６２０  電子部品
６３０  配線
６５０  口金
７００  グローブ
７２０  蛍光層
７３０  透明層
Ａ１    ＬＥＤランプ
１      基台
２      台座
３      発光部
４      口金
５      グローブ
６      ＡＣ−ＤＣコンバータ
７      ケースカバー
【図１】
2015179682.tif 000003
【図２】
2015179682.tif 000004
【図３】
2015179682.tif 000005
【図４】
2015179682.tif 000006
【図５】
2015179682.tif 000007
【図６】
2015179682.tif 000008
【図７】
2015179682.tif 000009
【図８】
2015179682.tif 000010
【図９】
2015179682.tif 000011
【図１０】
2015179682.tif 000012
【図１１】
2015179682.tif 000013
【図１２】
2015179682.tif 000014
【図１３】
2015179682.tif 000015
【図１４】
2015179682.tif 000016
【図１５】
2015179682.tif 000017
【図１６】
2015179682.tif 000018
【図１７】
2015179682.tif 000019
【図１８】
2015179682.tif 000020
【図１９】
2015179682.tif 000021
【図２０】
2015179682.tif 000022
【図２１】
2015179682.tif 000023
【図２２】
2015179682.tif 000024
【図２３】
2015179682.tif 000025
【図２４】
2015179682.tif 000026
【図２５】
2015179682.tif 000027
【図２６】
2015179682.tif 000028
【図２７】
2015179682.tif 000029
【図２８】
2015179682.tif 000030
【図２９】
2015179682.tif 000031
【図３０】
2015179682.tif 000032
【図３１】
2015179682.tif 000033
【図３２】
2015179682.tif 000034